(57)【要約】【課題】画像に含まれる蛍光領域を高い感度で判別できる画像読取装置を提供すること。【解決手段】可視光を媒体Ｓに照射する照射手段１０と、媒体から入射する光に基づいて媒体の画像のＲ色の画像データであるＲ色データを出力するＲ色撮像部２１と、Ｇ色データを出力するＧ色撮像部２２と、Ｂ色データを出力するＢ色撮像部２３とを有する撮像手段２０とを備え、Ｒ色データとＧ色データとＢ色データとに基づいてカラー画像データを生成する画像読取装置１−１であって、可視光のうちＲ色と異なる第一波長域Ｇの光を媒体に照射する所定光源１２と、第一波長域と異なる可視領域の第二波長域Ｒの光に基づいて、第一波長域の光を受けて第二波長域の光を発生する蛍光領域を含む蛍光画像データを生成する蛍光画像データ生成手段とを備え、蛍光画像データ生成手段は、所定光源の点灯時の、第二波長域と対応する所定色データに基づいて、蛍光画像データを生成する。【選択図】図１
2010273301.tif 000002
【特許請求の範囲】
【請求項１】
可視領域の光を読取り対象の媒体に照射する照射手段と、
前記照射手段により光が照射された前記媒体から入射する光に基づいて前記媒体に形成された画像のＲ色の画像データであるＲ色データを出力するＲ色撮像部と、Ｇ色の画像データであるＧ色データを出力するＧ色撮像部と、Ｂ色の画像データであるＢ色データを出力するＢ色撮像部とを有する撮像手段とを備え、
前記Ｒ色データと前記Ｇ色データと前記Ｂ色データとに基づいて前記画像のカラー画像データを生成する画像読取装置であって、
可視領域の光のうちＲ色と異なる第一波長域の光を前記媒体に照射する所定光源と、
前記第一波長域と異なる可視領域の第二波長域の光に基づいて、前記第一波長域の光を受けて前記第二波長域の光を発生する蛍光領域を含む前記画像の画像データである蛍光画像データを生成する蛍光画像データ生成手段とを備え、
前記蛍光画像データ生成手段は、前記所定光源を点灯させたときの、前記色データのうち前記第二波長域と対応する所定色データに基づいて、前記蛍光画像データを生成する
ことを特徴とする画像読取装置。
【請求項２】
請求項１に記載の画像読取装置において、
前記所定光源として、Ｇ色光を照射するＧ色光源、あるいはＢ色光を照射するＢ色光源の少なくともいずれか一方を備え、
前記蛍光画像データ生成手段は、前記Ｇ色光源を点灯させたときの前記Ｒ色データ、あるいは、前記Ｂ色光源を点灯させたときの前記Ｇ色データに基づいて前記蛍光画像データを生成する
ことを特徴とする画像読取装置。
【請求項３】
請求項２に記載の画像読取装置において、
前記照射手段は、白色光を前記媒体に照射する白色光源を有し、
前記白色光が照射されたときの前記Ｒ色データと、前記Ｇ色データと、前記Ｂ色データとに基づいて前記カラー画像データを生成する
ことを特徴とする画像読取装置。
【請求項４】
請求項３に記載の画像読取装置において、
前記白色光源と前記所定光源とは独立している
ことを特徴とする画像読取装置。
【請求項５】
請求項３に記載の画像読取装置において、
前記照射手段は、Ｒ色光を照射するＲ色光源と、前記所定光源としての前記Ｇ色光源および前記Ｂ色光源とを有し、前記カラー画像データを生成するときに、前記白色光源として前記Ｒ色光源と前記Ｇ色光源と前記Ｂ色光源を同時に点灯させる
ことを特徴とする画像読取装置。
【請求項６】
請求項３から５のいずれか１項に記載の画像読取装置において、
前記白色光源を点灯させての前記カラー画像データの生成と、前記所定光源を点灯させての前記蛍光画像データの生成とを独立して実行し、
前記カラー画像データの生成における前記白色光源の点灯時の前記撮像手段の露光時間が、前記蛍光画像データの生成における前記所定光源の点灯時の前記撮像手段の露光時間と比較して長い
ことを特徴とする画像読取装置。
【請求項７】
請求項６に記載の画像読取装置において、
更に、前記撮像手段のアナログ出力を増幅する増幅手段を備え、
前記増幅手段により増幅された前記色データに基づいて前記カラー画像データと前記蛍光画像データを生成し、
前記白色光源を点灯させての前記カラー画像データの生成のときの前記アナログ出力に対する増幅率と比較して、前記所定光源を点灯させての前記蛍光画像データの生成のときの前記アナログ出力に対する増幅率が大きい
ことを特徴とする画像読取装置。
【請求項８】
請求項２に記載の画像読取装置において、
前記照射手段は、前記Ｒ色光を照射するＲ色光源、前記Ｇ色光源、および前記Ｂ色光源を有し、
前記Ｒ色光源、前記Ｇ色光源、前記Ｂ色光源は、それぞれ単独で点灯され、
前記Ｒ色光源を点灯させたときの前記Ｒ色データ、前記Ｇ色光源を点灯させたときの前記Ｇ色データ、および前記Ｂ色光源を点灯させたときの前記Ｂ色データに基づいて前記カラー画像データを生成する
ことを特徴とする画像読取装置。
【請求項９】
請求項１から８に記載の画像読取装置において、
前記撮像手段の主走査方向に配置され、前記第一波長域の光を受けて前記第二波長域の光を発生する基準板を備え、
前記所定光源により前記基準板に前記第一波長域の光を照射させたときの前記所定色データに基づいて、前記媒体に前記第一波長域の光を照射させたときの前記所定色データを補正する
ことを特徴とする画像読取装置。
【発明の詳細な説明】
【技術分野】
【０００１】
本発明は、画像読取装置に関し、特に、Ｒ色の画像データ、Ｇ色の画像データ、Ｂ色の画像データをそれぞれ出力する撮像部を有する撮像手段を備えた画像読取装置に関する。
【背景技術】
【０００２】
従来、読取り対象の媒体に形成された画像に含まれる蛍光領域を判別する技術が知られている。例えば、特許文献１には、カラー原稿を読み取った複数色の色信号の内、ｒ信号が第１の閾値以上またはｇ信号が第２の閾値以上であり、かつｂ信号が第３の閾値以下（ただし、第１、第２の閾値＞第３の閾値）であるとき蛍光色と判定するカラー画像処理装置が開示されている。
【先行技術文献】
【特許文献】
【０００３】
【特許文献１】特許第３３４４７７１号公報
【発明の概要】
【発明が解決しようとする課題】
【０００４】
ここで、特許文献１の判定方法では、蛍光色でない色の色信号の値と蛍光色の色信号の値との間に閾値を設定するものであるため、蛍光色の判別の感度を十分に高めることができない場合がある。また、下地の濃度等に応じて蛍光色の判別の感度が低下し、適切に蛍光色を判別できなくなってしまう可能性がある。
【０００５】
本発明の目的は、読取り対象の媒体に形成された画像に含まれる蛍光領域を高い感度で判別することができる画像読取装置を提供することである。
【課題を解決するための手段】
【０００６】
本発明の画像読取装置は、可視領域の光を読取り対象の媒体に照射する照射手段と、前記照射手段により光が照射された前記媒体から入射する光に基づいて前記媒体に形成された画像のＲ色の画像データであるＲ色データを出力するＲ色撮像部と、Ｇ色の画像データであるＧ色データを出力するＧ色撮像部と、Ｂ色の画像データであるＢ色データを出力するＢ色撮像部とを有する撮像手段とを備え、前記Ｒ色データと前記Ｇ色データと前記Ｂ色データとに基づいて前記画像のカラー画像データを生成する画像読取装置であって、可視領域の光のうちＲ色と異なる第一波長域の光を前記媒体に照射する所定光源と、前記第一波長域と異なる可視領域の第二波長域の光に基づいて、前記第一波長域の光を受けて前記第二波長域の光を発生する蛍光領域を含む前記画像の画像データである蛍光画像データを生成する蛍光画像データ生成手段とを備え、前記蛍光画像データ生成手段は、前記所定光源を点灯させたときの、前記色データのうち前記第二波長域と対応する所定色データに基づいて、前記蛍光画像データを生成することを特徴とする。
【０００７】
本発明の画像読取装置において、前記所定光源として、Ｇ色光を照射するＧ色光源、あるいはＢ色光を照射するＢ色光源の少なくともいずれか一方を備え、前記蛍光画像データ生成手段は、前記Ｇ色光源を点灯させたときの前記Ｒ色データ、あるいは、前記Ｂ色光源を点灯させたときの前記Ｇ色データに基づいて前記蛍光画像データを生成することを特徴とする。
【０００８】
本発明の画像読取装置において、前記照射手段は、白色光を前記媒体に照射する白色光源を有し、前記白色光が照射されたときの前記Ｒ色データと、前記Ｇ色データと、前記Ｂ色データとに基づいて前記カラー画像データを生成することを特徴とする。
【０００９】
本発明の画像読取装置において、前記白色光源と前記所定光源とは独立していることを特徴とする。
【００１０】
本発明の画像読取装置において、前記照射手段は、Ｒ色光を照射するＲ色光源と、前記所定光源としての前記Ｇ色光源および前記Ｂ色光源とを有し、前記カラー画像データを生成するときに、前記白色光源として前記Ｒ色光源と前記Ｇ色光源と前記Ｂ色光源を同時に点灯させることを特徴とする。
【００１１】
本発明の画像読取装置において、前記白色光源を点灯させての前記カラー画像データの生成と、前記所定光源を点灯させての前記蛍光画像データの生成とを独立して実行し、前記カラー画像データの生成における前記白色光源の点灯時の前記撮像手段の露光時間が、前記蛍光画像データの生成における前記所定光源の点灯時の前記撮像手段の露光時間と比較して長いことを特徴とする。
【００１２】
本発明の画像読取装置において、更に、前記撮像手段のアナログ出力を増幅する増幅手段を備え、前記増幅手段により増幅された前記色データに基づいて前記カラー画像データと前記蛍光画像データを生成し、前記白色光源を点灯させての前記カラー画像データの生成のときの前記アナログ出力に対する増幅率と比較して、前記所定光源を点灯させての前記蛍光画像データの生成のときの前記アナログ出力に対する増幅率が大きいことを特徴とする。
【００１３】
本発明の画像読取装置において、前記照射手段は、前記Ｒ色光を照射するＲ色光源、前記Ｇ色光源、および前記Ｂ色光源を有し、前記Ｒ色光源、前記Ｇ色光源、前記Ｂ色光源は、それぞれ単独で点灯され、前記Ｒ色光源を点灯させたときの前記Ｒ色データ、前記Ｇ色光源を点灯させたときの前記Ｇ色データ、および前記Ｂ色光源を点灯させたときの前記Ｂ色データに基づいて前記カラー画像データを生成することを特徴とする。
【００１４】
本発明の画像読取装置において、前記撮像手段の主走査方向に配置され、前記第一波長域の光を受けて前記第二波長域の光を発生する基準板を備え、前記所定光源により前記基準板に前記第一波長域の光を照射させたときの前記所定色データに基づいて、前記媒体に前記第一波長域の光を照射させたときの前記所定色データを補正することを特徴とする。
【発明の効果】
【００１５】
本発明にかかる画像読取装置は、読取り対象の媒体から入射する光に基づいて媒体に形成された画像のＲ色の画像データであるＲ色データを出力するＲ色撮像部と、Ｇ色の画像データであるＧ色データを出力するＧ色撮像部と、Ｂ色の画像データであるＢ色データを出力するＢ色撮像部とを有する撮像手段を備え、Ｒ色データとＧ色データとＢ色データとに基づいて画像のカラー画像データを生成する画像読取装置であって、可視領域の光のうちＲ色と異なる第一波長域の光を媒体に照射する所定光源と、第一波長域と異なる可視領域の第二波長域の光に基づいて、第一波長域の光を受けて第二波長域の光を発生する蛍光領域を含む上記画像の画像データである蛍光画像データを生成する蛍光画像データ生成手段とを備える。
【００１６】
蛍光画像データ生成手段は、所定光源を点灯させたときの、色データのうち第二波長域と対応する所定色データに基づいて、蛍光画像データを生成する。照射される第一波長域の光と異なる第二波長域の光に基づいて蛍光画像データが生成されることで、前記第一波長域の反射光等の光の影響を抑制し、高い感度で蛍光領域を判別することができる。
【図面の簡単な説明】
【００１７】
【図１】図１は、本発明に係る画像読取装置の第１実施形態の概略構成を示す図である。
【図２】図２は、本発明に係る画像読取装置の第１実施形態において青色光を照射するＬＥＤが点灯されたときの水性蛍光ペンの相対分光特性を示す図である。
【図３】図３は、本発明に係る画像読取装置の第１実施形態において緑色光を照射するＬＥＤが点灯されたときの水性蛍光ペンの相対分光特性を示す図である。
【図４】図４は、本発明に係る画像読取装置の第１実施形態において赤色光を照射するＬＥＤが点灯されたときの水性蛍光ペンの相対分光特性を示す図である。
【図５】図５は、本発明に係る画像読取装置の第１実施形態におけるイメージセンサのフィルタ特性を示す図である。
【図６】図６は、本発明に係る画像読取装置の第１実施形態において青色ＬＥＤを照射したときの相対分光特性と、イメージセンサの各色のフィルタ特性とを各波長について乗じた結果を示す図である。
【図７】図７は、本発明に係る画像読取装置の第１実施形態図において青色ＬＥＤが照射されたときの各検出対象に対するフィルタ色ごとの出力を示す図である。
【図８】図８は、本発明に係る画像読取装置の第１実施形態において緑色ＬＥＤを照射したときにピンクの蛍光ペンの蛍光領域で赤色波長に蛍光した光が赤色センサに入射する様子を示す図である。
【図９】図９は、本発明に係る画像読取装置の第１実施形態の主要な構成を示すブロック図である。
【図１０】図１０は、本発明に係る画像読取装置の第１実施形態における赤色ＬＥＤを点灯させたときの画像処理方法を示す図である。
【図１１】図１１は、本発明に係る画像読取装置の第１実施形態における緑色ＬＥＤを点灯させたときの画像処理方法を示す図である。
【図１２】図１２は、本発明に係る画像読取装置の第１実施形態における青色ＬＥＤを点灯させたときの画像処理方法を示す図である。
【図１３】図１３は、本発明に係る画像読取装置の第１実施形態におけるイエローの蛍光ペンおよび下地白のスペクトルと緑色フィルタ特性とを各波長について乗じた結果を示す図である。
【図１４】図１４は、本発明に係る画像読取装置の第１実施形態のイエローの蛍光ペンおよび下地白からの入射光に対する緑色センサの出力を示す図である。
【図１５】図１５は、本発明に係る画像読取装置の第１実施形態の蛍光判別における各領域のスペクトル特性を示す図である。
【図１６】図１６は、本発明に係る画像読取装置の第１実施形態の蛍光判別による蛍光領域の判別結果の一例を示す図である。
【図１７】図１７は、本発明に係る画像読取装置の第２実施形態の通常画像を撮像する方法を示す図である。
【図１８】図１８は、本発明に係る画像読取装置の第２実施形態の緑色ＬＥＤを点灯させて蛍光領域を撮像する方法を示す図である。
【図１９】図１９は、本発明に係る画像読取装置の第２実施形態の青色ＬＥＤを点灯させて蛍光領域を撮像する方法を示す図である。
【図２０】図２０は、本発明に係る画像読取装置の第２実施形態の第１変形例に係る画像読取装置の概略構成を示す図である。
【図２１】図２１は、本発明に係る画像読取装置の第２実施形態の第２変形例においてジッタの発生について説明するための図である。
【図２２】図２２は、本発明に係る画像読取装置の第２実施形態の第２変形例で白色光源の露光時間が長くされることによるジッタの抑制について説明するための図である。
【図２３】図２３は、本発明に係る画像読取装置の第３実施形態において光源の切替えを線順次に代えて面順次で行った場合の効果をまとめた図である。
【図２４】図２４は、本発明に係る画像読取装置の第３実施形態において蛍光領域の読取りを高速化した画像読取りについて説明するための模式図である。
【図２５】図２５は、本発明に係る画像読取装置の第４実施形態に係る画像読取装置の主要な構成を示すブロック図である。
【図２６】図２６は、本発明に係る画像読取装置の第４実施形態の緑色ＬＥＤの発光量を増やす制御について説明するための図である。
【図２７】図２７は、本発明に係る画像読取装置の第４実施形態の画像入力部のアンプゲインを増やす制御について説明するための図である。
【図２８】図２８は、本発明に係る画像読取装置の第５実施形態における通常画像用の白基準の設定方法を示す図である。
【図２９】図２９は、本発明に係る画像読取装置の第５実施形態における緑色ＬＥＤの蛍光基準の設定方法を示す図である。
【図３０】図３０は、本発明に係る画像読取装置の第５実施形態における青色ＬＥＤの蛍光基準の設定方法を示す図である。
【図３１】図３１は、従来技術で正しく判別できない蛍光領域を含む画像の一例を示す図である。
【図３２】図３２は、従来技術で正しく判別できない蛍光領域を含む画像の各領域のスペクトル特性を示す図である。
【図３３】図３３は、従来技術による蛍光領域の判別結果の一例を示す図である。
【図３４】図３４は、従来の画像の読取りにおける偽色の発生について説明するための図である。
【図３５】図３５は、従来の白色光源と３ラインセンサで画像を読取る画像読取装置で生成される画像について説明するための図である。
【発明を実施するための形態】
【００１８】
以下に、本発明にかかる画像読取装置の一実施形態につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１９】
（第１実施形態）
図１から図１６を参照して、第１実施形態について説明する。本実施形態は、Ｒ色の画像データ、Ｇ色の画像データ、Ｂ色の画像データをそれぞれ出力する撮像部を有する撮像手段を備えた画像読取装置に関する。図１は、本発明に係る画像読取装置の第１実施形態の概略構成を示す模式図である。
【００２０】
図１において、符号１−１は、本実施形態に係る画像読取装置を示す。画像読取装置１−１は、画像読取ユニット１、基準板２、図示しない搬送装置を有している。画像読取ユニット１は、搬送されてくるシート状の原稿Ｓ上の画像を光学的に走査し、電気信号に変換して画像データとして読み取るものである。画像読取ユニット１は、光源１０、３ラインセンサ２０、およびレンズ３０を含む。光源１０は、読取り対象媒体である原稿Ｓに可視領域の光を照射する照射手段であり、赤色ＬＥＤ１１、緑色ＬＥＤ１２、青色ＬＥＤ１３の３色のＬＥＤを有する３色ＬＥＤアレイである。図８に示すように、光源１０は、赤色ＬＥＤ１１、緑色ＬＥＤ１２、および青色ＬＥＤ１３が主走査方向に一列に順に配置されている。赤色ＬＥＤ１１、緑色ＬＥＤ１２、および青色ＬＥＤ１３は、それぞれ単独で点灯されて原稿Ｓに単色光を照射することができる。
【００２１】
レンズ３０は、原稿Ｓからの反射光や原稿Ｓが発する光を結像させるものである。レンズ３０は、光源１０から照射され原稿Ｓにて反射した反射光や光源１０から照射された光を受けて原稿Ｓが発生する光を３ラインセンサ２０の受光面に集束、結像させるものである。
【００２２】
３ラインセンサ２０は、例えばＣＣＤ（Ｃｈａｒｇｅ  Ｃｏｕｐｌｅｄ  Ｄｅｖｉｃｅ）であり、レンズ３０を通過して結像された（入射する）光を複数の画素が受光し、電気信号に変換することで画像を読み取るものである。光源１０から照射され原稿Ｓで反射した光や、光源１０から照射された光により原稿Ｓが発生する蛍光など、原稿Ｓからの光がレンズ３０により３ラインセンサ２０の受光面に収束、結像されると、３ラインセンサの各画素が受光量を電気信号に変換して出力する。図１に示すように、３ラインセンサ２０は、互いに異なる色のフィルタを有した３色のラインセンサを備える。具体的には、３ラインセンサ２０は、赤色のフィルタを備えた赤色センサ（Ｒ色撮像部）２１、緑色のフィルタを備えた緑色センサ（Ｇ色撮像部）２２、および青色のフィルタを備えた青色センサ（Ｂ色撮像部）２３を有する。各色のセンサ２１，２２，２３は、互いに平行に配置されており、かつ、主走査方向に配置されている。図１では図中奥行き方向が３ラインセンサ２０の主走査方向であり、図中左右方向が３ラインセンサ２０の副走査方向となる。
【００２３】
基準板２は、原稿Ｓの搬送路の近傍に３ラインセンサ２０と対向して配置されている。基準板２は、画像データ補正用の白基準を設定するためのものである。白基準を設定する際には、原稿Ｓが画像読取対象位置にないときに、光源１０から白色光（赤色ＬＥＤ１１、緑色ＬＥＤ１２、青色ＬＥＤ１３の同時点灯）を基準板２に照射する。これにより、光源１０から照射された白色光が基準板２で反射し、３ラインセンサ２０に入射する。このときの赤色センサ２１、緑色センサ２２、青色センサ２３の出力が各センサ２１，２２，２３の白基準としてそれぞれ設定される。
【００２４】
搬送装置は、原稿Ｓを副走査方向である搬送方向に搬送するものである。搬送装置は、例えば、モータにより駆動される駆動ローラと、駆動ローラに向けて押し付けられる従動ローラとを有し、駆動ローラと従動ローラとの間に原稿Ｓを挟んで原稿Ｓを搬送する。
【００２５】
従来の画像読取装置では、３色の光源を備える場合にはイメージセンサは色フィルタを持たず、イメージセンサが３色のフィルタを備える場合には光源は白色とされていた。本実施形態の画像読取装置１−１は、３色のフィルタを有するイメージセンサである３ラインセンサ２０と、３色の光を照射可能な３色光源１０とを備えている。これにより、以下に説明するように光源の色とイメージセンサの色との組合せにより、原稿Ｓに形成された蛍光領域を高い感度で判別することができる。
【００２６】
本願発明者は、蛍光画像（蛍光染料）の分光特性に着目し、単色光を照射したときの蛍光領域の相対分光特性を研究した結果、以下に説明する知見を得た。図２から図４は、水性蛍光ペンにより画像（蛍光画像）が書き込まれた白色再生紙の原稿について測定された相対分光特性を示す図である。図２から図４には、５色（イエロー、グリーン、ピンク、ブルー、赤紫）の水性蛍光ペンのスペクトル、および、白色再生紙（下地白）のスペクトルが示されている。図２から図４において、横軸は波長（ｎｍ）、縦軸は分光特性値を示す。
【００２７】
図２、図３、図４においては、それぞれ照射される単色光の光源の色が異なっている。図２は、青色光（Ｂｌｕｅ）を照射する青色ＬＥＤ１３が点灯されたときの水性蛍光ペンの相対分光特性を示す図、図３は、緑色光（Ｇｒｅｅｎ）を照射する緑色ＬＥＤ１２が点灯されたときの水性蛍光ペンの相対分光特性を示す図、図４は、赤色光（Ｒｅｄ）を照射する赤色ＬＥＤ１１が点灯されたときの水性蛍光ペンの相対分光特性を示す図である。
【００２８】
図２に示すように、青色ＬＥＤ１３が照射されたときの下地白のスペクトル（符号１０１）は、４６５ｎｍ付近がピーク波長となっている。下地白は蛍光しないものであるから、この下地白のスペクトル１０１は、光源である青色ＬＥＤ１３のスペクトルとほぼ同じとなる。
【００２９】
５色の蛍光ペンのうち、ピンク（符号１０４）、ブルー（符号１０５）、赤紫（符号１０６）の蛍光ペンの示すスペクトルのピーク波長は、下地白のスペクトル１０１と同様のピーク波長であり、他にピーク波長は特に見られない。一方、５色の蛍光ペンのうち、イエロー（符号１０２）とグリーン（符号１０３）の蛍光ペンのスペクトルは、下地白や他の色の蛍光ペン（ピンク、ブルー、赤紫）と同様のピーク波長の他に、異なる波長にピークを有している。これは、蛍光成分のピークを示している。つまり、青色光が照射されると、イエローの蛍光ペンやグリーンの蛍光ペンの蛍光領域は、青色光を反射すると共に、青色光の一部を吸収し、青色光よりも長い波長の蛍光を発生する。
【００３０】
イエローの蛍光ペンのスペクトル１０２とグリーンの蛍光ペンのスペクトル１０３では、４６５ｎｍ付近の反射光のピークが下がる一方、５００ｎｍ付近に蛍光によるピークが見られる。この５００ｎｍ付近をピークとする蛍光成分は、緑色の波長域と重なっている。イエローの蛍光ペンとグリーンの蛍光ペンの蛍光成分は、青色の反射光よりも長い波長域に分布しており、この波長域では、下地白と比較して蛍光成分の方が大きな値となっている。つまり、この波長域の光を選択的に検出すれば、蛍光領域（蛍光ペン）を高い感度で判別することができる。そこで、本実施形態では、青色光が照射されたときの緑色センサ２２の出力に基づいて、イエローやグリーンの蛍光領域を判別する。
【００３１】
図３に示すように、緑色光を照射する緑色ＬＥＤ１２が点灯された場合、下地白のスペクトル（符号１１１）は、５３０ｎｍ付近がピーク波長となっている。この下地白のスペクトル１１１は、光源である緑色ＬＥＤ１２のスペクトルとほぼ同じとなる。５色の蛍光ペンのうち、イエロー（符号１１２）、グリーン（符号１１３）、ブルー（符号１１５）の蛍光ペンの示すスペクトルのピーク波長は、下地白のスペクトル１１１と同様のピーク波長であり、他にピーク波長は特に見られない。言い換えると、イエロー、グリーン、ブルーの蛍光ペンによる画像は、緑色光では、蛍光を発生していないと見られる。
【００３２】
一方、ピンク（符号１１４）と赤紫（符号１１６）の蛍光ペンのスペクトルは、下地白や他の色の蛍光ペン（イエロー、グリーン、ブルー）と同様のピーク波長の他に、異なる波長にピークを有している。つまり、緑色光が照射されると、ピンクの蛍光ペンと赤紫の蛍光ペンの蛍光領域は、緑色光を反射すると共に、緑色光を吸収し、緑色光よりも長い波長の蛍光を発生する。ピンクの蛍光ペンのスペクトル１１４と赤紫の蛍光ペンのスペクトル１１６では、５３０ｎｍ付近の反射光のピークが下がる一方、５８０〜６００ｎｍ付近に蛍光によるピークが見られる。この５８０〜６００ｎｍをピークとする蛍光成分は、赤色の波長域と重なっている。この波長域では、下地白と比較して、蛍光成分の方が大きな値となっている。そこで、本実施形態では、緑色光が照射されたときの赤色センサ２１の出力に基づいて、ピンクや赤紫の蛍光領域を判別する。
【００３３】
図４に示すように、赤色を照射する赤色ＬＥＤ１１が点灯された場合、下地白のスペクトル（符号１２１）は、６３０ｎｍ付近がピーク波長となっている。符号１２２はイエロー、１２３はグリーン、１２４はピンク、１２５はブルー、１２６は赤紫の蛍光ペンが示すスペクトルを示している。赤色光では、いずれの蛍光ペンも特に蛍光しないことがわかる。
【００３４】
図５は、３ラインセンサ２０のフィルタ特性を示す図である。本実施形態の画像読取装置１−１は、青色（Ｂ）、緑色（Ｇ）、赤色（Ｒ）のそれぞれ異なる色のフィルタを通過した光に基づいて撮像するセンサを有する３ラインセンサ２０を備えている。図５において、符号Ｂ１は青色フィルタのフィルタ特性、符号Ｇ１は緑色フィルタのフィルタ特性、符号Ｒ１は赤色フィルタのフィルタ特性を示す。青色センサ２３は、青色フィルタを有しており、青色（Ｂ色）の画像データであるＢ色データを出力する。緑色センサ２２は、緑色フィルタを有しており、緑色（Ｇ色）の画像データであるＧ色データを出力する。赤色センサ２１は、赤色フィルタを有しており、赤色（Ｒ色）の画像データである赤色データを出力する。
【００３５】
図６は、青色ＬＥＤを照射したときの相対分光特性のスペクトル（図２参照）と、図５に示すイメージセンサの各色のフィルタ特性とを各波長について乗じた結果を示す図である。つまり、図６は、青色ＬＥＤが照射されたときの各蛍光ペンおよび下地白から各色のセンサに入射する光のスペクトル示す図である。
【００３６】
図６において、符号２０１，２０２，２０３は、それぞれ青色ＬＥＤを照射したときの下地白のスペクトル１０１と青色フィルタ特性Ｂ１との積、イエローの蛍光ペンのスペクトル１０２と青色フィルタ特性Ｂ１との積、グリーンの蛍光ペンのスペクトル１０３と青色フィルタ特性Ｂ１との積を示す。また、符号２１１，２１２，２１３は、それぞれ青色ＬＥＤを照射したときの下地白のスペクトル１０１と緑色フィルタ特性Ｇ１との積、イエローの蛍光ペンのスペクトル１０２と緑色フィルタ特性Ｇ１との積、グリーンの蛍光ペンのスペクトル１０３と緑色フィルタ特性Ｇ１との積を示す。符号２２１，２２２，２２３は、それぞれ青色ＬＥＤを照射したときの下地白のスペクトル１０１と赤色フィルタ特性Ｒ１との積、イエローの蛍光ペンのスペクトル１０２と赤色フィルタ特性Ｒ１との積、グリーンの蛍光ペンのスペクトル１０３と赤色フィルタ特性Ｒ１との積を示す。
【００３７】
図７は、図６に示すスペクトルをそれぞれ積分した値を示す図であり、青色ＬＥＤ１３が照射されたときの各検出対象に対する赤色センサ２１、緑色センサ２２、青色センサ２３の出力を示す図である。
【００３８】
図７に示すように、赤色センサ２１（Ｒｅｄフィルタ）については、下地白、イエローの蛍光ペン、グリーンの蛍光ペンのいずれにおいてもほとんど出力がない。これは、青色ＬＥＤ１３が照射されたときの反射光（波長４５０〜４８０ｎｍ）や蛍光（波長５００〜５５０ｎｍ）は赤色フィルタをほとんど通過しないためである。
【００３９】
緑色センサ２２（Ｇｒｅｅｎフィルタ）の出力では、下地白の出力と比較して、イエローの蛍光ペンの出力や、グリーンの蛍光ペンの出力の方が大きい。これに対して、蛍光しない通常のインクによる画像であれば、出力が下地白の出力を上回ることはなく、下地白の出力が最大となる。したがって、下地白よりも大きな出力がある領域は、蛍光領域であると判別することができる。また、この判別において、下地白の出力と、蛍光領域の出力との差が大きいほど、高い感度で蛍光領域を判別することができる。図７に示すように、イエローの蛍光ペンの出力は、下地白の出力と比較して６倍程度の出力があり、グリーンの蛍光ペンの出力でも、下地白の出力と比較して３倍程度の出力がある。したがって、高い感度でイエローやグリーンの蛍光ペンによる蛍光領域を判別することが可能である。
【００４０】
青色センサ２３（Ｂｌｕｅフィルタ）の出力では、下地白の出力が、イエローの蛍光ペンの出力やグリーンの蛍光ペンの出力と比較して大きい。イエローやグリーンの蛍光ペンでは、励起光である青色光を吸収して緑色の蛍光を発生しているため、青色光の相対出力は下がる。よって、蛍光しないインクの反射特性と同様に、下地白が一番明るくなる。このため、青色ＬＥＤを照射したときに、青色センサ２３の出力では、蛍光しないインクによる画像の出力と蛍光領域の出力とを判別することができない。したがって、青色ＬＥＤ１３を点灯するときに蛍光領域を画像として読み取るのに最も適している条件は、（青色ＬＥＤ照射−緑色フィルタ出力）の条件である。つまり、蛍光成分を選択的に抽出するためには、照射される励起光と異なる波長で、かつ、蛍光領域が発生する蛍光の波長域と対応する波長のフィルタのイメージセンサ出力を用いればよい。
【００４１】
本実施形態の画像読取装置では、青色ＬＥＤ１３を照射したときの緑色センサ２２の出力に基づいてイエローやグリーンの蛍光領域を判別する。言い換えると、Ｂ色光（第一波長域の光）を受けてＢ色光と異なる可視領域のＧ色光（第二波長域の光である蛍光）を発生するイエローやグリーンの蛍光領域について、青色ＬＥＤ１３を所定光源として点灯させたときの緑色センサ２２の出力（所定色データ）に基づいて蛍光画像データを生成する。これにより、読取り対象の画像に含まれるイエローやグリーン等の蛍光領域を高い感度で判別することができる。
【００４２】
また、図３を参照して説明したように、緑色ＬＥＤ１２を照射したときのピンクと赤紫の蛍光ペンの蛍光成分は、赤色の波長域（赤色フィルタ特性Ｒ１）と重なる５８０〜６００ｎｍの波長域にピークを有する。一方で、緑色ＬＥＤ１２を照射したときの下地白のスペクトル１１１は、赤色フィルタ特性Ｒ１との重なりの大きさがピンクや赤紫の蛍光ペンと比較して小さい。したがって、緑色ＬＥＤ１２を照射したときの赤色センサ２１の出力において、下地白の値と比較して、ピンクや赤紫の蛍光ペンの値は大きなものとなる。本実施形態では、緑色ＬＥＤ１２を照射したときの赤色センサ２１の出力に基づいて、ピンクや赤紫の蛍光領域を判別する。言い換えると、Ｇ色光（第一波長域の光）を受けてＧ色光と異なる可視領域のＲ色光（第二波長域の光である蛍光）を発生するピンクや赤紫の蛍光領域について、緑色ＬＥＤ１２を所定光源として点灯させたときの赤色センサ２１の出力（所定色データ）に基づいて蛍光画像データを生成する。これにより、読取り対象の画像に含まれるピンクや赤紫の蛍光領域を高い感度で判別することができる。
【００４３】
図８は、緑色ＬＥＤ１２を照射したときにピンクの蛍光ペンの蛍光領域で赤色波長に蛍光した光が赤色フィルタを有する赤色センサ２１に入射する様子を示す図である。
【００４４】
光源１０は、後述するＬＥＤ駆動部４１により駆動されて各ＬＥＤを点灯する。光源１０は、各色のＬＥＤを順次切替えて点灯することが可能に構成されている。すなわち、光源１０は、赤色ＬＥＤ１１を点灯させ、かつ緑色ＬＥＤ１２および青色ＬＥＤ１３を点灯させない状態と、緑色ＬＥＤ１２を点灯させ、かつ赤色ＬＥＤ１１および青色ＬＥＤ１３を点灯させない状態と、青色ＬＥＤ１３を点灯させ、かつ赤色ＬＥＤ１１および緑色ＬＥＤ１２を点灯させない状態とを順次切替えて実現することができる。図８には、緑色ＬＥＤ１２を点灯させ、かつ赤色ＬＥＤ１１および青色ＬＥＤ１３を点灯させない状態が示されている。
【００４５】
緑色ＬＥＤ１２から照射され、原稿Ｓ上の読取り対象のラインである読取ラインで反射した光は、レンズ３０で収束されて赤色センサ２１に入射する。同様に、緑色ＬＥＤ１２から照射された光により読取りラインの蛍光領域が発生する蛍光は、レンズ３０で収束されて赤色センサ２１に入射する。赤色センサ２１の各画素の受光量が、下地白に相当する受光量よりも大きい場合には、原稿Ｓ上におけるその画素に対応する領域は、蛍光画像（蛍光領域）であると判別することができる。
【００４６】
次に、図９を参照して、画像読取装置１−１の主要な構成について説明する。図９は、画像読取装置１−１の主要な構成を示すブロック図である。画像読取装置１−１には、制御部４０が設けられている。制御部４０は、ＬＥＤ駆動部４１、光源制御部４２、画像入力部４３、画像処理部４４、および画像データ出力部４５を有している。
【００４７】
光源制御部４２は、光源１０において点灯させるＬＥＤの色、期間、光量、点灯順序等を制御するものである。光源制御部４２は、光源１０の点灯制御に関する指令値をＬＥＤ駆動部４１および画像処理部４４に出力する。
【００４８】
ＬＥＤ駆動部４１は、光源１０のＬＥＤを駆動して点灯させるものである。ＬＥＤ駆動部４１は、光源制御部４２からの指令に基づいて、点灯対象の色のＬＥＤに電流を流して点灯させる。例えば、緑色ＬＥＤ１２を点灯させる場合、ＬＥＤ駆動部４１は、光源１０に配置された全ての緑色ＬＥＤ１２に通電して点灯させ、かつ、赤色ＬＥＤ１１および青色ＬＥＤ１３への通電を停止して消灯させる。
【００４９】
画像入力部４３は、３ラインセンサ２０から出力される電気信号（アナログ信号）を入力し、増幅し、Ａ／Ｄ変換して画像処理部４４に送るものである。つまり、画像入力部４３は、増幅手段として機能する。画像入力部４３は、赤色センサ２１の出力を読取りライン上の画像に関する赤色成分データである赤色ラインデータ（Ｒ色データ）として、緑色センサ２２の出力を緑色ラインデータ（Ｇ色データ）として、青色センサ２３の出力を青色ラインデータ（Ｂ色データ）としてそれぞれ取り込む。取り込まれた各ラインデータは、増幅され、Ａ／Ｄ変換されて画像入力部４３から画像処理部４４に送られる。
【００５０】
画像処理部４４は、画像入力部４３から送られる各ラインデータを通常画像データと蛍光画像データとに振り分けるものである。ここで、通常画像データとは、蛍光領域も含む全画像の画像データまたは蛍光領域の発生する蛍光成分の光を除いた全画像の画像データのことである。言い換えると、通常画像データとは、原稿Ｓ上の画像に関する画像データであって、少なくとも蛍光成分以外の反射光に基づく画像データを含む画像データのことである。本実施形態では通常画像データとして、蛍光成分を除いた画像データが得られる。
【００５１】
画像データ出力部４５は、画像処理部４４から出力されるラインデータを画像データとして出力するものである。画像データ出力部４５は、通常画像データの各ラインデータおよび蛍光画像データの各ラインデータを一時的に記憶する記憶部を有しており、通常画像データの各ラインデータを合成してカラー画像データを生成し、蛍光画像データの各ラインデータから蛍光画像データを生成する。本実施形態では、画像データ出力部４５が蛍光画像データ生成手段として機能する。なお、画像データ出力部４５から、画像読取装置１−１に接続されたデータ処理装置（ＰＣ等）に各ラインデータを出力することで、データ処理装置において通常画像のカラー画像データや蛍光画像データ等を生成できるようにしてもよい。
【００５２】
図１０から図１２を参照して、点灯させるＬＥＤの色毎の通常画像データと蛍光画像データの振り分け方法について説明する。図１０は、赤色ＬＥＤ１１を点灯させたときの画像処理方法、図１１は、緑色ＬＥＤ１２を点灯させたときの画像処理方法、図１２は、青色ＬＥＤ１３を点灯させたときの画像処理方法を示す図である。
【００５３】
赤色ＬＥＤ１１を点灯させる場合（図１０）、光源制御部４２は、ＬＥＤ駆動部４１に対して赤色ＬＥＤ１１を点灯させる指令を出力する。これにより、ＬＥＤ駆動部４１は、赤色ＬＥＤ１１に通電して赤色ＬＥＤ１１を点灯させ、原稿Ｓに対して赤色光を照射させる。赤色ＬＥＤ１１が点灯している場合、図４を参照して説明したように、可視光内での蛍光は発生しない。したがって、３ラインセンサの赤色センサ２１の出力は、蛍光成分を含んでおらず、通常画像データ（通常画像データの赤色成分）となる。画像処理部４４は、赤色ラインデータを画像入力部４３から取得し、画像データ出力部４５に通常画像データとして出力する。赤色ＬＥＤ１１の点灯時の青色ラインデータおよび緑色ラインデータは、画像データとしては使用されない。
【００５４】
緑色ＬＥＤ１２を点灯させる場合（図１１）、光源制御部４２は、ＬＥＤ駆動部４１に対して緑色ＬＥＤ１２を点灯させる指令を出力する。これにより、ＬＥＤ駆動部４１は、緑色ＬＥＤ１２に通電して緑色ＬＥＤ１２を点灯させ、原稿Ｓに対して緑色光を照射させる。緑色ＬＥＤ１２が点灯している場合、ピンクや赤紫等の蛍光領域は、赤色領域の蛍光を発生する。画像処理部４４は、画像入力部４３から取得した赤色ラインデータに基づいて蛍光領域を判別する。画像処理部４４は、赤色ラインデータの各画素の出力のうち、出力が予め定められた閾値を超えるものを蛍光画像を示すデータとする。この閾値は、緑色ＬＥＤ１２を点灯したときの下地白の反射光に対応する赤色センサ２１の出力の大きさに基づいて設定される。画像処理部４４は、こうして得られる蛍光領域のラインデータを画像データ出力部４５に出力する。また、画像処理部４４は、画像入力部４３から取得した緑色ラインデータを通常画像データ（通常画像データの緑色成分）として画像データ出力部４５に出力する。
【００５５】
青色ＬＥＤ１３を点灯させる場合（図１２）、光源制御部４２は、ＬＥＤ駆動部４１に対して青色ＬＥＤ１３を点灯させる指令を出力する。これにより、ＬＥＤ駆動部４１は、青色ＬＥＤ１３に通電して青色ＬＥＤ１３を点灯させ、原稿Ｓに対して青色光を照射させる。青色ＬＥＤ１３が点灯している場合、イエローやグリーンの蛍光領域は、緑色領域の蛍光を発生する。画像処理部４４は、画像入力部４３から取得した緑色ラインデータに基づいて蛍光領域を判別する。画像処理部４４は、緑色ラインデータの各画素の出力のうち、出力が予め定められた閾値を超えるものを蛍光画像を示すデータとする。この閾値は、青色ＬＥＤ１３を点灯したときの下地白の反射光に対応する緑色センサ２２の出力の大きさに基づいて設定される。画像処理部４４は、こうして得られる蛍光領域のラインデータを画像データ出力部４５に出力する。また、画像処理部４４は、画像入力部４３から取得した青色ラインデータを通常画像データとして画像データ出力部４５に出力する。
【００５６】
画像読取装置１−１は、搬送装置により副走査方向に搬送される原稿Ｓに対して、赤色ＬＥＤ１１、緑色ＬＥＤ１２、青色ＬＥＤ１３を逐次点灯させ、それぞれにおいて得られるラインデータから一つのラインデータを生成する。具体的には、画像データ出力部４５は、赤色ＬＥＤ１１を点灯したときの赤色ラインデータ、緑色ＬＥＤ１２を点灯したときの緑色ラインデータ、および青色ＬＥＤ１３を点灯したときの青色ラインデータに基づいて、通常画像データとしてのＲＧＢカラーラインデータ（カラー画像データ）を生成する。こうした主走査方向のＲＧＢカラーラインデータの取得を副走査方向に沿って順次繰り返すことにより、原稿Ｓの通常画像をＲＧＢカラー画像データとして生成することができる。
【００５７】
また、緑色ＬＥＤ１２を点灯した時の赤色ラインデータや、青色ＬＥＤ１３を点灯したときの緑色ラインデータは、それぞれ蛍光ラインデータとなる。こうした主走査方向の蛍光ラインデータの取得を副走査方向に沿って順次繰り返すことにより、画像データ出力部４５により原稿Ｓに形成された画像についての蛍光画像データが生成される。得られる蛍光画像データは、蛍光領域を含む原稿Ｓの画像全体の画像データである。蛍光画像データにおいて、蛍光領域は明るく（光量が大きく）、蛍光領域を除く領域は暗く（光量が小さく、例えば光量０と）なっている。このように、蛍光画像データは、原稿Ｓの蛍光領域が発生する赤色や緑色の蛍光成分に基づいて、蛍光領域のみを分離したデータとして生成される。
【００５８】
分離された蛍光領域に基づいて、蛍光画像データで囲まれた読取領域をクロッピングしたり、蛍光画像データと重なる通常画像データの文字情報をＯＣＲ処理したりする画像読取システムを構築することが可能である。本実施形態では、蛍光領域の蛍光成分を選択的に抽出することができるため、蛍光画像の領域を高い感度で判別することができる。したがって、蛍光領域に基づいて画像処理を行う画像読取システムの精度を向上させることができる。
【００５９】
また、蛍光領域について通常画像から分離した独立した画像データとして取得できるため、蛍光成分と通常画像とを合成する多様な画像処理を行うことができる。例えば、蛍光ペンでマーキングされた領域を強調した画像を生成したり、蛍光色の再現性を高めた画像（肉眼で見える色調に最適化した画像）を生成したりすることが可能となる。
【００６０】
本実施形態の画像読取装置１−１によれば、蛍光を励起するための紫外線などの特殊な光源を必要とせずに蛍光判別を行うことができる。可視光の光源の組合せにより蛍光インクの蛍光による画像を分離することができ、特殊な光源を用いる場合と比較して低コスト化が可能である。
【００６１】
ここで、本実施形態の蛍光判別方法と従来の蛍光判別方法との感度の違いについて説明する。蛍光色の特徴とは、励起光は吸収され、励起光よりも長い波長の蛍光を発光することにある。従来の蛍光判別方法では、蛍光による出力だけでなく反射光による出力をも含むイメージセンサの出力に基づいて、蛍光を判別していた。このため、以下に説明するように、蛍光領域の判別の感度を高めることが困難であった。
【００６２】
図１３は、イエローの蛍光ペンおよび下地白のスペクトルと緑色フィルタ特性とを各波長について乗じた結果を示す図である。図１３には、光源１０の点灯条件（点灯させるＬＥＤの色）を異ならせたときのそれぞれの点灯条件でのスペクトルとフィルタ特性との積が示されている。符号３０１は、青色ＬＥＤ１３を照射したときのイエロー蛍光ペンについての値、符号３０２は、緑色ＬＥＤ１２を照射したときのイエロー蛍光ペンについての値、符号３０３は、緑色ＬＥＤ１２および青色ＬＥＤ１３を共に点灯したときの下地白についての値、符号３０４は、緑色ＬＥＤ１２および青色ＬＥＤ１３を共に点灯したときのイエロー蛍光ペンについての値、符号３０５は、青色ＬＥＤ１３を点灯したときの下地白についての値をそれぞれ示している。
【００６３】
符号３０１は、励起光としての青色光を吸収して蛍光ペンが発生する緑色の蛍光のスペクトル、すなわち蛍光成分を示す。また、符号３０２は、緑色ＬＥＤ１２から照射されて蛍光ペンで反射された緑色光のスペクトル、すなわち反射成分を示す。従来は、白色光等の青色光と緑色光を共に含む光を照射したときのイメージセンサの出力に基づいて蛍光判別を行っていた。つまり、符号３０４に示す、反射成分（３０２）と蛍光成分（３０１）を共に含むスペクトルの積分値に基づいて蛍光判別がなされていた。このスペクトル３０４と、緑色ＬＥＤ１２および青色ＬＥＤ１３を共に点灯したときの下地白のスペクトル３０３との差は小さいため、図１４に示すように、イメージセンサの出力で比較したときの差は大きなものではない。図１４は、イエローの蛍光ペンおよび下地白からの入射光に対する緑色センサ２２の出力を示す図であり、図１３に示す各スペクトルを１ｎｍ刻みで積分した値を示している。
【００６４】
図１４において、従来技術の「下地の積分値」とは、図１３の符号３０３のスペクトルの積分値であり、「蛍光ペンの積分値」とは、図１３の符号３０４のスペクトルの積分値である。「下地の積分値」と「蛍光ペンの積分値」との差は、それほど大きなものではない。
【００６５】
これに対して、本実施形態では、青色ＬＥＤ１３を照射したときのイエロー蛍光ペンのスペクトル３０１と、下地白のスペクトル３０５との間の大きな差を利用する。図１４において、本実施形態の「蛍光ペンの積分値」とは、図１３の青色ＬＥＤ１３を照射したときのイエロー蛍光ペンのスペクトル３０１の積分値であり、「下地の積分値」とは、図１３の青色ＬＥＤ１３を照射したときの下地白のスペクトル３０５の積分値である。なお、「下地の積分値」に若干の出力が見えるのは、３ラインセンサ２０のフィルタ特性（図５参照）において、青色フィルタ特性Ｂ１と緑色フィルタ特性Ｇ１とが重なる領域を持つためである。
【００６６】
「蛍光ペンの積分値」と「下地の積分値」との比である蛍光判別感度で比較した場合、本実施形態の判別方法は、従来技術の判別方法と比較して、約５倍の高い感度であることがわかる。このように、本実施形態の判別方法では、蛍光領域が発する蛍光を抽出してイメージセンサで受光することにより、反射光の影響を受けにくく、高い感度で蛍光領域を判別することが可能である。なお、本実施形態の「下地の積分値」は、蛍光領域がなくとも出てくる出力であるため、この値を黒の基準とすれば、蛍光判別の感度を更に高めることができる。
【００６７】
また、本実施形態の蛍光領域の判別方法では、蛍光領域の下地の濃度の影響を受けずに蛍光領域を判別することができる。従来の技術では、下地（下地のうち最も明るい部分）による反射光の受光量と、反射成分と蛍光成分とを含む蛍光領域に対する受光量との比較により蛍光領域が判別される。このため、以下に図３１から図３３を参照して説明するように、蛍光領域の下地の濃度が判別の感度に影響し、蛍光領域を正しく判別できない場合があった。
【００６８】
図３１は、従来技術で正しく判別できない蛍光領域を含む画像の一例を示す図、図３２は、従来技術で正しく判別できない蛍光領域を含む画像の各領域のスペクトル特性を示す図、図３３は、従来技術による蛍光領域の判別結果の一例を示す図である。
【００６９】
図３１において、符号Ｐ１は、原稿Ｓの下地白の領域、符号Ｐ２は、イエローの蛍光ペンによる蛍光画像の領域、符号Ｐ４は、下地白に対する反射率５０％のグレーの下地領域、符号Ｐ３は、蛍光イエローとグレーの下地とが重なった領域（以下、単に「重なり領域Ｐ３」と記述する）を示す。
【００７０】
図３２には、青色ＬＥＤ１３と緑色ＬＥＤ１２を点灯したときのＰ１からＰ４の各領域の示すスペクトルであって、緑色センサ２２のフィルタ特性Ｇ１を乗じた値が示されている。すなわち、図３２の各スペクトルを積分した値は、青色ＬＥＤ１３と緑色ＬＥＤ１２を点灯したときの緑色センサ２２の出力となる。符号３１１は、下地白の領域Ｐ１が示すスペクトル、符号３１２は、蛍光イエローの領域Ｐ２が示すスペクトル、符号３１３は、重なり領域Ｐ３が示すスペクトル、符号３１４は、グレーの下地領域Ｐ４が示すスペクトルを示している。
【００７１】
図３２からわかるように、緑色センサ２２の出力は、蛍光イエローの領域Ｐ２に対する値が最も大きく、下地白の領域Ｐ１、重なり領域Ｐ３、グレーの下地領域Ｐ４の順で小さくなっている。つまり、下地白の領域Ｐ１と出力を比較することで、蛍光イエローの領域Ｐ２は蛍光領域と判別できるものの、重なり領域Ｐ３については、蛍光を発しない他の画像と同様の出力の大きさとなるため、蛍光領域と判別することができない。なお、重なり領域Ｐ３について、グレーの下地領域Ｐ４を基準として重なり領域Ｐ３の蛍光判別を行うことが考えられるが、この場合、グレーの下地領域Ｐ４の範囲が正確に把握されていなければ、誤検出してしまう虞がある。すなわち、重なり領域Ｐ３のうち、グレーの下地領域Ｐ４との境界部分について蛍光判別することはできるものの、グレーの下地領域Ｐ４から離れた部分については蛍光領域を誤検出してしまう可能性が高くなるため、判別対象から外されることが好ましい。
【００７２】
したがって、重なり領域Ｐ３では、判別された蛍光画像の領域に抜けが生じてしまうこととなる。図３３において、符号Ｐ１５は、下地白の領域Ｐ１との比較で蛍光判別された領域、符号Ｐ１６は、グレーの下地領域Ｐ４との比較で蛍光判別された領域を示す。蛍光判別された２つの領域Ｐ１５、Ｐ１６の間に、蛍光領域であるにもかかわらず蛍光判別されない抜けの領域Ｐ１７が生じてしまう。
【００７３】
これに対して、本実施形態の蛍光判別方法では、蛍光成分を抽出し、その抽出結果を比較して蛍光判別を行う。青色ＬＥＤ１３を照射したときに、緑色センサ２２のフィルタは反射光（青色光）をほとんど透過させないので、緑色センサ２２の出力を蛍光成分として、反射光の影響を（実質的に）受けることなく蛍光判別を行うことが可能である。つまり、反射光の影響が非常に小さいため、蛍光領域と重なる下地の濃度にかかわらず、蛍光判別の感度を高く保つことができる。図１５は、本実施形態の蛍光判別における各領域のスペクトル特性を示す図、図１６は、本実施形態の蛍光判別による蛍光領域の判別結果の一例を示す図である。
【００７４】
図１５には、青色ＬＥＤ１３を点灯したとき（緑色ＬＥＤ１２は消灯）のＰ１からＰ４の各領域の示すスペクトルであって、緑色センサ２２のフィルタ特性Ｇ１を乗じた値が示されている。すなわち、図１５の各スペクトルを積分した値は、青色ＬＥＤ１３を点灯したときの緑色センサ２２の出力となる。符号３２１は、下地白の領域Ｐ１が示すスペクトル、符号３２２は、蛍光イエローの領域Ｐ２が示すスペクトル、符号３２３は、重なり領域Ｐ３が示すスペクトル、符号３２４は、グレーの下地領域Ｐ４が示すスペクトルを示している。
【００７５】
図１５からわかるように、下地白の領域Ｐ１が示すスペクトル３２１の相対出力は小さく、グレーの下地領域Ｐ４が示すスペクトル３２４は、さらに相対出力が小さい。言い換えると、反射成分である下地白やグレーの下地に対する出力はいずれも低いレベルである。これに対して、蛍光イエローの領域Ｐ２が示すスペクトル３２２や重なり領域Ｐ３が示すスペクトル３２３は、いずれも下地白の領域Ｐ１が示すスペクトル３２１と比較して大きな相対出力となっている。つまり、蛍光領域が、高い濃度の下地と重なっていたとしても、蛍光領域の相対出力は、下地白の領域Ｐ１が示すスペクトル３２１の相対出力を上回る。よって、本実施形態の蛍光判別方法によれば、下地の濃度の影響を受けることなく、高い感度で蛍光判別を行うことが可能である。図１６において、符号Ｐ５は、本実施形態の蛍光判別方法で蛍光判別された領域を示す。このように、本実施形態の蛍光判別では、抜けや誤検出を生じることなく、正しく蛍光領域を検出することができる。
【００７６】
なお、読取り可能な蛍光領域は、蛍光ペンによる画像には限られず、オフセット印刷の蛍光インク等による蛍光領域も含まれる。言い換えると、可視領域の励起光を受けて励起光と異なる波長域の蛍光を発生する蛍光物質を有する蛍光領域であれば、本実施形態の画像読取装置１−１により判別可能である。したがって、赤色光を受けて、赤色光と異なる可視領域の光を発生する蛍光物質があれば、この蛍光物質による蛍光領域を判別することも可能である。
【００７７】
（第２実施形態）
図１７から図１９を参照して、第２実施形態について説明する。第２実施形態については、上記各実施形態と異なる点についてのみ説明する。第２実施形態の画像読取りにおいて、上記第１実施形態と異なる点は、通常画像の撮像方法である。上記第１実施形態では、通常画像のカラー画像データとして、蛍光成分を除いた画像が得られたが、本実施形態では、蛍光成分を含む画像が通常画像のカラー画像データとして得られる。従来の白色光源によるカラー画像と同様の蛍光成分を含む画像として通常画像のカラー画像データを無処理でそのまま出力することができるため、画像処理部４４等の後段の回路が簡素化される。
【００７８】
一般的に、蛍光波長は光源の波長よりも長い波長となる。画像読取装置１−１では赤色光よりも長い波長の光を受光するセンサは設けられておらず、赤色ＬＥＤ１１を点灯させて赤色光よりも長い波長の蛍光が発生したとしても、その蛍光を検出することができない。このため、可視光を照射して蛍光させるための光源としては、赤色ＬＥＤ１１を除くことができる。したがって、緑色ＬＥＤ１２や青色ＬＥＤ１３の単色点灯では蛍光画像データを採取し、赤色ＬＥＤ１１を点灯することに代えて、ＲＧＢを全点灯させて通常画像データを読取ることができる。これにより、蛍光成分も含めた画像が生成される従来の白色光源によるカラー画像と本実施形態で得られる通常画像のカラー画像データとに互換性を持たせることができる。また、従来の画像読取装置の回路に蛍光画像データの読取り部を増設する程度の変更で蛍光画像データの読取り機能を追加することができる。
【００７９】
本実施形態では、画像読取装置１−１は、通常画像データを撮像するときに、光源１０において全色のＬＥＤを同時に点灯させ、原稿Ｓに白色光を照射させる。光源１０に白色光を照射させたときの３ラインセンサ２０の各センサ２１，２２，２３のラインデータに基づいて、通常画像のカラー画像データが生成される。このとき、読取りラインにイエローやグリーンの蛍光ペンなど緑色の蛍光を発生する蛍光領域があれば、緑色センサ２２には反射成分に加えて蛍光成分が入射し、ピンクや赤紫の蛍光ペンなど赤色の蛍光を発生する蛍光領域があれば、赤色センサ２１には反射成分に加えて蛍光成分が入射する。したがって、生成される通常画像には、蛍光成分が含まれる。蛍光判別方法や蛍光画像データの取得方法については、上記第１実施形態と同様であることができる。
【００８０】
図１７は、通常画像を撮像する方法を示す図、図１８は、緑色ＬＥＤ１２を点灯させて蛍光領域を撮像する方法を示す図、図１９は、青色ＬＥＤ１３を点灯させて蛍光領域を撮像する方法を示す図である。
【００８１】
通常画像を撮像する場合、図１７に示すように、光源制御部４２は、ＬＥＤ駆動部４１に対して赤色ＬＥＤ１１、緑色ＬＥＤ１２、および青色ＬＥＤ１３を点灯させる指令を出力する。これにより、ＬＥＤ駆動部４１は、各ＬＥＤ１１，１２，１３に通電して点灯させ、原稿Ｓに対して白色光を照射させる。画像処理部４４は、画像入力部４３から赤色ラインデータ、緑色ラインデータ、および青色ラインデータを取得し、これら３つのラインデータを画像処理部４４に出力する。画像処理部４４は、画像入力部４３からの各ラインデータを通常画像のラインデータとして画像データ出力部４５に出力する。画像データ出力部４５は、３色のラインデータを合成して通常画像のカラー画像ラインデータとし、生成したカラー画像データを出力する。
【００８２】
また、緑色ＬＥＤ１２を点灯して蛍光画像データを取得する場合、図１８に示すように、光源制御部４２はＬＥＤ駆動部４１を制御して緑色ＬＥＤ１２を点灯させ、原稿Ｓに対して緑色光を照射させる。画像処理部４４は、赤色ラインデータを画像入力部４３から取得し、赤色センサ２１の各画素の出力のうち、出力が予め定められた閾値を超えるものを蛍光領域を示すデータと判定する。画像処理部４４は、得られた蛍光領域のラインデータを画像データ出力部４５に出力する。
【００８３】
青色ＬＥＤ１３を点灯して蛍光画像データを取得する場合、図１９に示すように、光源制御部４２は、ＬＥＤ駆動部４１を制御して青色ＬＥＤ１３を点灯させ、原稿Ｓに対して青色光を照射させる。画像処理部４４は、緑色ラインデータを画像入力部４３から取得し、緑色センサ２２の各画素の出力のうち、出力が予め定められた閾値を超えるものを蛍光領域を示すデータと判定する。画像処理部４４は、得られた蛍光領域のラインデータを画像データ出力部４５に出力する。
【００８４】
画像読取装置１−１は、読取ラインに対する主走査として、白色光を照射しての通常画像の撮像、緑色光を照射しての蛍光領域の撮像、青色光を照射しての蛍光領域の撮像を順次行い、かつ、この主走査を原稿Ｓの搬送に合わせて副走査方向に繰り返し実行することにより、原稿Ｓの通常画像のカラー画像データおよび蛍光画像データを撮像する。
【００８５】
（第２実施形態の第１変形例）
図２０を参照して、第２実施形態の第１変形例について説明する。図２０は、本変形例に係る画像読取装置１−２の概略構成を示す図である。
【００８６】
本変形例の画像読取装置１−２が、上記実施形態の画像読取装置１−１と異なる点は、光源５０が、励起光用の光源である励起光用ＬＥＤアレイ５１と、白色光用の白色光源５２とを独立した光源として有する点である。励起光用ＬＥＤアレイ５１は、原稿Ｓに励起光を照射して蛍光を発生させるための光源であり、緑色ＬＥＤ１２と青色ＬＥＤ１３とを有している。励起光用ＬＥＤアレイ５１において、緑色ＬＥＤ１２の配置数は、青色ＬＥＤ１３の配置数と比較して多い。具体的には、１つの青色ＬＥＤ１３につき、２つの緑色ＬＥＤ１２が配置されている。これは、一般的に、ＲＧＢの単色ＬＥＤでは、緑色ＬＥＤ１２の発光効率が低いためである。励起光用ＬＥＤアレイ５１には、２つの緑色ＬＥＤ１２と１つの青色ＬＥＤ１３とが交互にアレイ状に配置されている。
【００８７】
白色光源５２は、白色ＬＥＤ５３と導光管５４を有する。白色ＬＥＤ５３は、通電されることで白色光を照射するものである。導光管５４は、管状の形状で形成されており、管状の一端部が白色ＬＥＤ５３に近接、或いは接触した状態で配設されている。導光管５４は、主走査方向に配置され、かつ、原稿Ｓと互いに対向する位置に配置されている。白色ＬＥＤ５３を点灯させると、白色ＬＥＤ５３から照射される光は、導光管５４に進入する。導光管５４内に進入した光は、導光管５４内を反射しながら主走査方向に進む。導光管５４内を進む光は、その一部が導光管５４の外側に透光する。したがって、白色ＬＥＤ５３から導光管５４内に進入した白色光は、導光管５４の全体から導光管５４の外部に向かって照射される。主走査方向において、導光管５４の設置範囲は、原稿Ｓの通過する範囲を含んでいる。したがって、導光管５４から照射される白色光は、原稿Ｓの読取ライン全体を照射することができる。
【００８８】
画像読取装置１−２による通常画像データおよび蛍光画像データの撮像方法は、上記第２実施形態において画像読取装置１−１で撮像する方法と同様であることができる。この場合、通常画像の撮像において白色光を照射させる場合、赤色ＬＥＤ１１、緑色ＬＥＤ１２、および青色ＬＥＤ１３を点灯させることに代えて、白色ＬＥＤ５３を点灯させる点が異なる。
【００８９】
画像読取装置１−２では、例えば、蛍光領域の読取り用の緑色ＬＥＤ１２と青色ＬＥＤ１３は順電流が数十ｍＡのＬＥＤとし、白色光源５２は、青色ＬＥＤに黄色蛍光体を用いた発光効率の高いタイプで順電流が数百ｍＡの白色ＬＥＤを導光管５４と組み合わせたものとすることができる。通常画像用に発光効率の低い緑色ＬＥＤ１２を使用しないことで、全体の発光効率を高めることができ、実用的には良い。
【００９０】
（第２実施形態の第２変形例）
第２実施形態の第２変形例について説明する。
【００９１】
上記第２実施形態や第１変形例では、白色光源を点灯して通常画像データを読取るため、以下に説明するように、偽色の発生が抑制される。
【００９２】
偽色は、イメージセンサがモノラインセンサであり、光源がＲＧＢの３色光源である場合等に発生するものである。図３４は、従来の画像の読取りにおける偽色の発生について説明するための図である。図３４において、（ａ）は、ＲＧＢの各色の光源が点灯されるタイミングと線画像の位置との関係、（ｂ）は各色の出力を合成して生成される画像データを示す。
【００９３】
原稿Ｓには、画素幅Ｗよりも細い３本の線画像が存在する。各線画像は、画素幅Ｗの１／３の幅であり、主走査方向に伸びている。ラインＬ２上に存在する線画像４０１と、ラインＬ３上に存在する線画像４０２と、ラインＬ４上に存在する線画像４０３とは、ライン上の位置が互いに異なり、線画像４０１はラインＬ２上において副走査方向の一方の端部に、線画像４０２はラインＬ３上において副走査方向の中央部に、線画像４０３はラインＬ４上において副走査方向の他方の端部にそれぞれ形成されている。
【００９４】
ＲＧＢの３色光源とモノラインセンサで画像を読取る場合、１ラインの走査において、赤色光源、緑色光源、青色光源を順に点灯させてそれぞれの色のラインデータを取得する。したがって、画素幅Ｗよりも細い線画像がある場合、各色の光源の点灯タイミングと線画像の位置とに応じた偽色が発生してしまう。例えば、ラインＬ２上の線画像４０１では、線画像４０１の反射光がモノラインセンサに入射するタイミングで、青色光が照射されているため、赤色や緑色の出力と比較して、青色の出力が小さな値となる。その結果、生成された画像においてラインＬ２の色がイエローとなり偽色が発生してしまう。ラインＬ３およびラインＬ４についても同様であり、それぞれ緑色、赤色の出力が小さな値となって偽色が発生してしまう。このような細線がある場合の偽色は、一般的な密着型イメージセンサのようにＲＧＢの光源を線順に切替える方式で発生するものであり、第１実施形態で生成される通常画像のカラー画像データにおいても発生しうるものである。
【００９５】
これに対して、白色光源と３ラインセンサで画像を読取る方式では、偽色は発生しない。図３５は、従来の白色光源と３ラインセンサで画像を読取る画像読取装置で生成される画像について説明するための図である。図３５において、（ａ）は赤色センサの出力、（ｂ）は緑色センサの出力、（ｃ）は青色センサの出力、（ｄ）は各センサの出力を合成して生成される画像データを示す。
【００９６】
白色光源と３ラインセンサによる画像読取では、画素幅Ｗよりも細い黒線がある場合、その細線は解像されず、面積で積分されて灰色で表現される。（ｄ）に示すように、ラインＬ２，Ｌ３，Ｌ４は、細線ではなく、一様な濃度の灰色の画像とされる。黒線が細いものであるほど、濃度の小さい灰色とされる。これは、画像としては理想的な状態である。
【００９７】
第２実施形態および第２実施形態の第１変形例では、白色光源で通常画像データを読取り、緑色や青色の光源で蛍光画像データを読取る。白色光源と３ラインセンサ２０とにより通常画像データを読取ることで、偽色は発生しない。しかしながら、図２１を参照して説明するように、情報が間引かれたり強調されたりすることで、ジッタが発生する場合がある。図２１は、ジッタの発生について説明するための図である。
【００９８】
図２１において、（ａ）は緑色Ｇ、白色Ｗ、青色Ｂの各光源が点灯される期間と線画像の位置との関係、（ｂ）は３ラインセンサ２０の各色のセンサの出力を合成して生成される通常画像データを示す。
【００９９】
ラインＬ２では、線画像４０１を撮像する期間が青色光の照射期間と重なり、白色光の照射期間（通常画像の読取り期間）とは重なっていない。このため、ラインＬ２には通常画像が存在しないものとして情報が間引かれてしまう。同様に、ラインＬ４では、線画像４０３を撮像する期間が緑色光の照射期間と重なり、白色光の照射期間とは重なっていない。このため、ラインＬ４には通常画像が存在しないとして情報が間引かれてしまう。一方、ラインＬ３では、線画像４０２を撮像する期間が白色光の照射期間と重なって（ほぼ一致して）いる。これにより、画素幅いっぱいに線画像があるものとして線画像４０２が強調されてしまう。このように、通常画像データにおいて情報が間引かれたり強調されたりすることで、生成される画像にジッタが発生してしまう。言い換えると、緑色と青色の露光している部分は通常画像ではカットされるため、細線が正しく表現されずジッタとなってしまう。
【０１００】
ここで、上記第２実施形態や第１変形例の画像読取方法のように、白色光源で通常画像を取り出す方法では、異なる色の光源で順次読取った画像データ同士を合成して通常画像データを生成する方法とは異なり、各光源（Ｗ，Ｇ，Ｂ）の露光時間の割合を任意に設定することが可能である。
【０１０１】
本変形例では、通常画像のカラー画像データの生成における白色光源の点灯時の３ラインセンサ２０の露光時間が、蛍光画像データの生成における青色ＬＥＤ１３や緑色ＬＥＤ１２点灯時の３ラインセンサ２０の露光時間と比較して長くされている。これにより、通常画像のＳ／Ｎ比の向上やジッタの低減、画像読取速度の向上等が可能となる。
【０１０２】
まず、通常画像のＳ／Ｎ比の向上について説明する。通常、蛍光ペンによるマーキングでは、文字列の上を太い線で描いたり、文章の領域を太い枠線で囲んだりする。このようなマーキングによる画像は、空間周波数の低い情報である。このため、イメージセンサによる蛍光領域の撮像結果がＳ／Ｎ比の低いノイジーな画像であっても、ノイズ除去や平滑化やエッジ強調などの画像処理を施せば利用可能である。これに対して、通常画像は小さい文字や細い線やカラー画像の細かい濃淡などがあり高いＳ／Ｎ比が要求される。これらのことから、白色光源の露光時間を長くする（白色光源の露光時間の割合を高める）と共に蛍光画像データに画像処理を施すことで、通常画像のＳ／Ｎ比を向上させつつ、目的に応じた適切な品質の蛍光画像データを得ることが可能である。
【０１０３】
また、白色光源の露光時間を長くすることで、低ジッタ（通常画像データの画像連続性向上）が可能となる。図２２は、白色光源の露光時間が長くされることによるジッタの抑制について説明するための図である。図２２において、符号（ａ）は緑色Ｇ、白色Ｗ、青色Ｂの各光源が点灯される期間と線画像の位置との関係、（ｂ）は３ラインセンサ２０の各色のセンサの出力を合成して生成される通常画像データを示す。
【０１０４】
図２２に示す例では、白色光源の露光時間は、緑色、白色、青色の露光時間が均等とされる場合（図２１）の２倍、緑色ＬＥＤ１２の露光時間および青色ＬＥＤ１３の露光時間は０．５倍とされている。よって、緑色、白色、青色の露光時間が均等とされる場合と比較して、蛍光画像部としてカットされる領域が半分となる一方、白色光源の露光時間が倍となることで、細線および細線の周辺を白色光源で露光する確率が高くなる。その結果、線画像が間引かれたり強調されたりすることが抑制され、細線部が灰色で表現される理想画像に近い画像が生成される。
【０１０５】
（第３実施形態）
図２３および図２４を参照して、第３実施形態について説明する。第３実施形態については、上記各実施形態と異なる点についてのみ説明する。
【０１０６】
上記第１実施形態および第２実施形態は、光源を線順次で切替える方式であるため、１パスでの画像読取を要求されるシートフィード型の画像読取装置に適した読取り方法である。ここで、光源の切替えは、線順次には限定されず、線順次に代えて、面順次で光源を切替えるようにしてもよい。面順次の光源の切替えであっても、高い感度で蛍光判別を行うことができる。また、面順次で光源を切替える場合は、通常画像のカラー画像データの生成において偽色やジッタが原理的に発生しない。面順次の光源の切替え方法は、画像読取ユニット１をキャリアで副走査方向に移動させるフラットベッド型の画像読取装置で特に有効な光源の切替え方法である。
【０１０７】
図２３は、上記各実施形態の光源の切替えを線順次に代えて面順次で行った場合の効果をまとめた図である。
【０１０８】
まず、（１）「第１実施形態の赤色ＬＥＤ１１、緑色ＬＥＤ１２、青色ＬＥＤ１３の順次点灯を面順次で行う」場合、キャリアの往路は赤色ＬＥＤ１１を点灯し、復路では緑色ＬＥＤ１２を点灯し、２回目の往路では青色ＬＥＤ１３を点灯させる。したがって、キャリアの走査回数は２回となる。面順次で光源を切り替えることで偽色やジッタは無くなるが、走査回数が多いため、画像の読み取りに時間がかかってしまう。
【０１０９】
次に、（２）「第２実施形態の白色光源、緑色ＬＥＤ１２、青色ＬＥＤ１３の順次点灯を面順次で行う」場合、（１）と同様にキャリアの走査回数は２回となる。偽色やジッタは無いものの、走査回数が多く、画像の読み取りに時間がかかってしまう。
【０１１０】
（２）と比較して読取り時間を短縮するために、（３）「通常画像の読み取りを往路で行い、蛍光領域の読み取りを復路１回で全て行う」ようにしてもよい。復路では、緑色ＬＥＤ１２の点灯と青色ＬＥＤ１３の点灯を線順次で行い、それぞれ異なる波長の蛍光を発する蛍光領域を読取る。このようにすれば、通常画像における偽色やジッタの発生をなくしつつ、高速に蛍光データを採取可能となる。通常画像の読み取りと蛍光領域の読み取りを１回（１往復）のキャリアの走査で完了することができ、高速な読み取りが実現される。
【０１１１】
また、（３）の光源切替えによる画像読取において、図２４に示すように、蛍光領域の読み取りを更に高速化するようにしてもよい。図２４は、蛍光領域の読取りを高速化した画像読取りについて説明するための模式図である。図２４において、（ａ）は往路の通常画像の読取り、（ｂ）は復路の蛍光領域の読取りを示す。符号６０は、キャリアを示す。復路の緑色ＬＥＤ１２と青色ＬＥＤ１３との線順次切替えによる蛍光画像データ読取りでは、蛍光画像データの解像度およびＳ／Ｎ比は、通常画像データの解像度およびＳ／Ｎ比と比較して小さくともよい。このため、３ラインセンサ２０を高速駆動するか、低解像度読取にすることで、通常画像の読取り（往路）と比較して高速にキャリア６０を移動させることができる。
【０１１２】
（第４実施形態）
図２５から図２７を参照して第４実施形態について説明する。第４実施形態については、上記各実施形態と異なる点についてのみ説明する。
【０１１３】
上記第２実施形態の第２変形例や、第３実施形態の（３）では、白色光源の露光時間を長くし、緑色ＬＥＤ１２や青色ＬＥＤ１３の露光時間が短縮された。このため、本実施形態では、蛍光画像データの出力を確保する制御がなされる。図２５は、本実施形態に係る画像読取装置の主要な構成を示すブロック図である。本実施形態の画像入力部４３は、アンプゲイン（増幅率）を可変に調節可能に構成されている。光源制御部４２は、画像入力部４３に制御信号を出力して画像入力部４３のアンプゲインを制御することができる。
【０１１４】
緑色ＬＥＤ１２を点灯して蛍光領域を読取る場合、光源制御部４２は、蛍光画像データの出力を確保する制御として、緑色ＬＥＤ１２の発光量を増やす制御、あるいは、画像入力部４３のアンプゲインを増やす制御の少なくともいずれか一方の制御を実行する。図２６は、緑色ＬＥＤ１２の発光量を増やす制御について説明するための図、図２７は、画像入力部４３のアンプゲインを増やす制御について説明するための図である。
【０１１５】
図２６には、ＲＧＢ３色のＬＥＤを有する光源１０において緑色ＬＥＤ１２の点灯、白色光源の点灯（赤色ＬＥＤ１１、緑色ＬＥＤ１２、青色ＬＥＤ１３の同時点灯）、青色ＬＥＤ１３の点灯を順次行う光源の切り替え制御が示されている。光源制御部４２は、緑色ＬＥＤ１２を単独で点灯させて蛍光領域を読取る場合に、ＬＥＤ駆動部４１を制御し、緑色ＬＥＤ１２の通電量を増加させる。このときの電流値Ｉ２は、白色光の照射時における緑色ＬＥＤ１２の通電量Ｉ１と比較して大きな値である。これにより、蛍光領域に対するラインデータ出力を増加させることができる。電流値Ｉ２は、短時間だけ設定されるものであるため、例えば、定格電流よりも大きな値とされてもよい。
【０１１６】
また、図２７に示すように、光源制御部４２は、蛍光領域の読取りにおいて緑色ＬＥＤ１２を点灯させる場合、画像入力部４３を制御し、画像入力部４３のアンプゲインを増加させる。このときのゲインＧ２は、白色光や青色光を照射するときのアンプゲインＧ１と比較して大きな値である。これにより、蛍光領域に対するラインデータ出力を増加させることができる。よって、白色光源の点灯時の露光時間が長くされ、その分緑色ＬＥＤ１２や青色ＬＥＤ１３の点灯時の露光時間が短縮されたことにより蛍光領域の読取りと通常画像の読取りとでセンサ受光照度が異なったとしても、画像入力部４３のＡ／Ｄ変換後の出力データをそれぞれ最適な明度に調節することができる。
【０１１７】
なお、本実施形態では、緑色ＬＥＤ１２を点灯するときに蛍光画像データの出力を確保する制御が実行されたが、緑色ＬＥＤ１２を点灯するときだけでなく、青色ＬＥＤ１３を点灯するときに蛍光画像データの出力を確保する制御が実行されてもよい。すなわち、青色ＬＥＤ１３を単独で点灯させて蛍光領域を読取る場合に、青色ＬＥＤ１３の通電量を他の点灯期間と比較して増加させる制御、あるいは画像入力部４３のアンプゲインを白色光や緑色光の点灯時と比較して増加させる制御を実行することができる。また、白色光源は、赤色ＬＥＤ１１、緑色ＬＥＤ１２、青色ＬＥＤ１３の同時点灯によるものに限らず、例えば、白色ＬＥＤ等であってもよい。
【０１１８】
また、画像入力部４３は、各センサ２１，２２，２３のアナログ出力を増幅するものであったが、これに代えて、アナログ出力をＡ／Ｄ変換して得られたデジタル出力を増幅するものであってもよい。
【０１１９】
（第５実施形態）
図２８から図３０を参照して第５実施形態について説明する。第５実施形態については、上記各実施形態と異なる点についてのみ説明する。
【０１２０】
本実施形態では、蛍光画像データのシェーディング補正が行われる。シェーディング補正は、光源の主走査方向における輝度分布や撮像センサの各撮像素子のばらつきの影響を低減するためのものである。シェーディング補正では、主走査方向における輝度分布に基づいた基準データにより、３ラインセンサ２０の各色のセンサの出力が補正される。
【０１２１】
ここで、蛍光画像データをシェーディング補正する場合、通常画像用の白基準を使用することは適さない。これは、以下の理由による。
【０１２２】
まず、光源の照度分布が異なることがある。例えば、上記第２実施形態では、通常画像を読取る場合、赤色ＬＥＤ１１、緑色ＬＥＤ１２、青色ＬＥＤ１３の全てを点灯させた（白色光を照射した）ときの各センサ２１，２２，２３の出力に基づいて通常画像が生成される。このとき、緑色センサ２２に入射する光の光源は緑色ＬＥＤ１２である。これに対して、蛍光領域を読取る場合、緑色センサ２２で読取りを行うときには、青色ＬＥＤ１３のみが点灯される。つまり、緑色センサ２２に入射する光の光源は青色ＬＥＤである。したがって、通常画像の読取り時と蛍光領域の読取り時とで光源の照度分布が異なるため、通常画像用の白基準では適切なシェーディング補正を行うことができない。
【０１２３】
また、蛍光領域を読取る場合（例えば、青色ＬＥＤ１３を照射して緑色センサ２２で読取る場合）は、励起光（青色光）が緑色センサ２２のフィルタでほとんどカットされる。このため、蛍光領域の読取り時の光源とセンサとの組合せにおける白基準板の出力は、通常画像の読取り時の光源とセンサとの組合せにおける白基準板の出力と比較して小さな値となる。
【０１２４】
以上の理由から、通常画像用と蛍光領域用のそれぞれの白基準が設定されることが望ましい。本実施形態では、通常画像用と蛍光領域用にそれぞれ白（蛍光）基準板と白（蛍光）基準メモリが設けられている。
【０１２５】
図２８は、本実施形態の画像読取装置１−３における通常画像用の白基準の設定方法を示す図である。図２８において、符号７０は基準板を示す。基準板７０は、基準板本体７１と、遮蔽板７５を有する。基準板７０は、上記第１実施形態の白基準板２（図１参照）と同様の位置に設置されている。
【０１２６】
基準板本体７１は、第一蛍光基準板７２、白基準板７３、および第二蛍光基準板７４を有する。第一蛍光基準板７２は、青色ＬＥＤ１３から照射される光により緑色の蛍光を発する蛍光領域の蛍光基準とするものである。第一蛍光基準板７２は、蛍光顔料を混練させた樹脂によって成形されているものや、被照射面に黄色蛍光塗料（蛍光材）が塗布されているもの等で構成されており、イエローの蛍光ペン等と同様に蛍光する。第二蛍光基準板７４は、緑色ＬＥＤ１２から照射される光により赤色の蛍光を発する蛍光領域の蛍光基準とするものである。第二蛍光基準板７４は、蛍光顔料を混練させた樹脂によって成形されているものや、被照射面にピンクの蛍光塗料が塗布されているもの等で構成されており、ピンクの蛍光ペン等と同様に蛍光する。白基準板７３は、白色光を照射するときの白色の基準とするもので、従来公知のものと同様であることができる。
【０１２７】
第一蛍光基準板７２と白基準板７３と第二蛍光基準板７４とは副走査方向に隣接しており、かつ、主走査方向（図中奥行き方向）において原稿Ｓの搬送路に対応する範囲に設置されている。基準板本体７１は、原稿の搬送方向（副走査方向）に移動可能に設けられており、図示しない移動手段により副走査方向に移動される。遮蔽板７５は、光源１０と基準板本体７１との間に基準板本体７１と平行に配置されており、光源１０から照射された光から基準板本体７１を遮蔽することができる。遮蔽板７５には、主走査方向に伸びるスリット状の孔部７６が形成されている。孔部７６の副走査方向の幅は、白基準板７３の副走査方向の幅よりも小さい。したがって、孔部７６は、第一蛍光基準板７２、白基準板７３、および第二蛍光基準板７４のいずれかに選択的に光源１０の光を照射させることができる。また、孔部７６の主走査方向の設置範囲は、原稿Ｓの搬送路の幅に対応しており、少なくとも原稿Ｓの主走査方向の幅の範囲で光源１０からの光が基準板本体７１で反射され、３ラインセンサ２０に入射する。
【０１２８】
通常画像用白基準を設定する場合、基準板７０の移動手段は、副走査方向において白基準板７３の位置と孔部７６の位置とを対応させるように、基準板本体７１を移動させる。これにより、光源１０から照射される光は、白基準板７３で反射して３ラインセンサ２０に入射する。また、第一蛍光基準板７２と第二蛍光基準板７４は、遮蔽板７５により、光源１０からの光から遮蔽されている。通常画像用の白基準を設定する場合、光源１０において、赤色ＬＥＤ１１、緑色ＬＥＤ１２、青色ＬＥＤ１３が全て点灯される。制御部４０には、白基準を記憶する白基準メモリ４６が設けられている。赤色センサ２１の出力（輝度分布）は赤色ＬＥＤ１１の白基準データとして、緑色センサ２２の出力（輝度分布）は緑色ＬＥＤ１２の白基準データとして、青色センサ２３の出力（輝度分布）は青色ＬＥＤ１３の白基準データとして、それぞれ白基準メモリ４６に記憶される。原稿Ｓの通常画像を読込む場合、各センサ２１，２２，２３の出力は、白基準メモリ４６の白基準データに基づいてシェーディング補正される。
【０１２９】
図２９は、緑色ＬＥＤ１２の蛍光基準の設定方法を示す図である。制御部４０には、蛍光基準を記憶する蛍光基準メモリ４７が設けられている。緑色ＬＥＤ１２の蛍光基準を設定する場合、移動手段は、副走査方向において第二蛍光基準板７４の位置と孔部７６の位置とを対応させるように、基準板本体７１を移動させる。これにより、光源１０から照射される光は、第二蛍光基準板７４に照射され、第二蛍光基準板７４が発生する蛍光は、３ラインセンサ２０に入射する。また、第一蛍光基準板７２と白基準板７３は、遮蔽板７５により光源１０からの光から遮蔽されている。緑色ＬＥＤ１２の蛍光基準の設定では、緑色ＬＥＤ１２が点灯される。このときの赤色センサ２１の出力（輝度分布）は、緑色ＬＥＤ１２の蛍光基準データとして蛍光基準メモリ４７に記憶される。原稿Ｓの蛍光領域を読込む場合、赤色センサ２１の出力は、緑色ＬＥＤ１２の蛍光基準データに基づいてシェーディング補正される。
【０１３０】
図３０は、青色ＬＥＤ１３の蛍光基準の設定方法を示す図である。青色ＬＥＤ１３の蛍光基準を設定する場合、移動手段は、副走査方向において第一蛍光基準板７２の位置と孔部７６の位置とを対応させるように、基準板本体７１を移動させる。これにより、光源１０から照射される光は、第一蛍光基準板７２に照射され、第一蛍光基準板７２が発生する蛍光は、３ラインセンサ２０に入射する。また、白基準板７３と第二蛍光基準板７４は、遮蔽板７５により光源１０からの光から遮蔽されている。青色ＬＥＤ１３の蛍光基準の設定では、青色ＬＥＤ１３が点灯される。このときの緑色センサ２２の出力（輝度分布）は、青色ＬＥＤ１３の蛍光基準データとして蛍光基準メモリ４７に記憶される。原稿Ｓの蛍光領域を読込む場合、緑色センサ２２の出力は、青色ＬＥＤ１３の蛍光基準データに基づいてシェーディング補正される。
【０１３１】
本実施形態によれば、蛍光領域用に設定された蛍光基準データに基づいて緑色ＬＥＤ１２および青色ＬＥＤ１３の出力が補正される。これにより、ムラのない蛍光画像データを生成することができると共に、蛍光判別の感度を高めたり、蛍光判別の精度の低下を抑制したりすることができる。
【０１３２】
なお、本実施形態では、光源１０を例に白基準や蛍光基準の設定、および基準に基づく補正について説明したが、他の光源、例えば、第２実施形態の第１変形例の光源５０に白基準や蛍光基準の設定、および基準に基づく補正が適用されても良い。
【符号の説明】
【０１３３】
１−１，１−２，１−３  画像読取装置
１  画像読取ユニット
１０  光源
１１  赤色ＬＥＤ
１２  緑色ＬＥＤ
１３  青色ＬＥＤ
２０  ３ラインセンサ
２１  赤色センサ
２２  緑色センサ
２３  青色センサ
３０  レンズ
４０  制御部
４１  ＬＥＤ駆動部
４２  光源制御部
４３  画像入力部
４４  画像処理部
４５  画像データ出力部
４６  白基準メモリ
４７  蛍光基準メモリ
５０  光源
５１  励起光用ＬＥＤアレイ
５２  白色光源
７０  基準板
７１  基準板本体
７２  第一蛍光基準板
７３  白基準板
７４  第二蛍光基準板
７５  遮蔽板
７６  孔部
Ｓ  原稿
Ｗ  画素幅
【図１】
2010273301.tif 000003
【図２】
2010273301.tif 000004
【図３】
2010273301.tif 000005
【図４】
2010273301.tif 000006
【図５】
2010273301.tif 000007
【図６】
2010273301.tif 000008
【図７】
2010273301.tif 000009
【図８】
2010273301.tif 000010
【図９】
2010273301.tif 000011
【図１０】
2010273301.tif 000012
【図１１】
2010273301.tif 000013
【図１２】
2010273301.tif 000014
【図１３】
2010273301.tif 000015
【図１４】
2010273301.tif 000016
【図１５】
2010273301.tif 000017
【図１６】
2010273301.tif 000018
【図１７】
2010273301.tif 000019
【図１８】
2010273301.tif 000020
【図１９】
2010273301.tif 000021
【図２０】
2010273301.tif 000022
【図２１】
2010273301.tif 000023
【図２２】
2010273301.tif 000024
【図２３】
2010273301.tif 000025
【図２４】
2010273301.tif 000026
【図２５】
2010273301.tif 000027
【図２６】
2010273301.tif 000028
【図２７】
2010273301.tif 000029
【図２８】
2010273301.tif 000030
【図２９】
2010273301.tif 000031
【図３０】
2010273301.tif 000032
【図３１】
2010273301.tif 000033
【図３２】
2010273301.tif 000034
【図３３】
2010273301.tif 000035
【図３４】
2010273301.tif 000036
【図３５】
2010273301.tif 000037